(57)【要約】【課題】宅内のユーザが宅外の監視者に容易に連絡できることを課題とする。【解決手段】スマートスイッチは、建物内に設置される電気機器を操作する。スマートスイッチは、第一の無線通信リンクを用いて端末装置を監視し、監視される端末装置の連絡先に関する連絡先情報を基に、第二の無線通信リンクを用いて端末装置と通信する。スマートスイッチは、表示部の第一の領域に、電気機器に対する操作を受け付ける操作画面を表示するとともに、表示部の第二の領域に、端末装置と接続された第一の無線通信リンクが切断されたときに第二の無線通信リンクによる端末装置への通話操作を受け付ける通話画面を表示する。【選択図】図１
2018125676.tif 000002
【特許請求の範囲】
【請求項１】
電気機器と、
前記電気機器を操作するコントローラ装置とを有し、
前記コントローラ装置は、
第一の無線通信リンクを用いて端末装置を監視する監視部と、
前記監視部に監視される端末装置の連絡先に関する連絡先情報が記憶された記憶部と、
前記連絡先情報を基に、第二の無線通信リンクを用いて端末装置と通信する通信部と、
表示部の第一の領域に、前記電気機器に対する操作を受け付ける操作画面を表示するとともに、前記表示部の第二の領域に、前記端末装置と接続された前記第一の無線通信リンクが切断されたときに前記第二の無線通信リンクによる端末装置への通話操作を受け付ける通話画面を表示する表示制御部とを有し、
床部と、前記床部から立ち上がると共に室内空間を囲む壁部であって、該壁部は前記表示部を有することを特徴とする建物。
【請求項２】
建物内に設置される電気機器を操作するコントローラ装置であって、
第一の無線通信リンクを用いて端末装置を監視する監視部と、
前記監視部に監視される端末装置の連絡先に関する連絡先情報が記憶された記憶部と、
前記連絡先情報を基に、第二の無線通信リンクを用いて端末装置と通信する通信部と、
表示部の第一の領域に、前記電気機器に対する操作を受け付ける操作画面を表示するとともに、前記表示部の第二の領域に、前記端末装置と接続された前記第一の無線通信リンクが切断されたときに前記第二の無線通信リンクによる端末装置への通話操作を受け付ける通話画面を表示する表示制御部と
を有することを特徴とするコントローラ装置。
【請求項３】
前記通信部は、前記表示部の前記第二の領域に表示される前記通話画面が選択された場合に、前記記憶部に記憶される前記連絡先情報を基に、前記端末装置に発信することを特徴とする請求項２に記載のコントローラ装置。
【請求項４】
前記記憶部は、複数の端末装置に関する前記連絡先情報と優先順位とを対応付けて記憶し、
前記通信部は、前記表示部の前記第二の領域に表示される前記通話画面が選択された場合に、前記優先順位が最も高い第一の端末装置に発信し、前記第一の端末装置と音声通話が確立できない場合に、次に優先順位が高い第二の端末装置に発信することを特徴とする請求項３に記載のコントローラ装置。
【請求項５】
前記通信部は、前記音声通話が確立されるまで、前記記憶部に記憶される優先順位にしたがって、該当する端末装置に順に発信することを特徴とする請求項４に記載のコントローラ装置。
【請求項６】
前記音声通話が確立された場合に、前記音声通話が確立されるまでに発信されて前記音声通話が確立できなかった各端末装置に対して、前記音声通話が確立されたことを示すメッセージを送信する送信部をさらに有することを特徴とする請求項５に記載のコントローラ装置。
【請求項７】
前記電気機器は、照明機器であり、
前記表示制御部は、前記表示部の第一の領域に、前記照明機器のオンまたはオフを受け付ける操作画面を表示するとともに、前記表示部の第二の領域に、前記通話画面を表示することを特徴とする請求項２から６のいずれか一つに記載のコントローラ装置。
【請求項８】
建物内に設置される電気機器を操作するコントローラ装置が、
第一の無線通信リンクを用いて端末装置を監視し、
監視される端末装置の連絡先に関する連絡先情報を基に、第二の無線通信リンクを用いて端末装置と通信し、
表示部の第一の領域に、前記電気機器に対する操作を受け付ける操作画面を表示するとともに、前記表示部の第二の領域に、前記端末装置と接続された前記第一の無線通信リンクが切断されたときに前記第二の無線通信リンクによる端末装置への通話操作を受け付ける通話画面を表示する
処理を実行することを特徴とする表示制御方法。
【請求項９】
建物内に設置される電気機器を操作するコントローラ装置に、
第一の無線通信リンクを用いて端末装置を監視し、
監視される端末装置の連絡先に関する連絡先情報を基に、第二の無線通信リンクを用いて端末装置と通信し、
表示部の第一の領域に、前記電気機器に対する操作を受け付ける操作画面を表示するとともに、前記表示部の第二の領域に、前記端末装置と接続された前記第一の無線通信リンクが切断されたときに前記第二の無線通信リンクによる端末装置への通話操作を受け付ける通話画面を表示する
処理を実行させることを特徴とする表示制御プログラム。
【発明の詳細な説明】
【技術分野】
【０００１】
本発明は、建物、コントローラ装置、表示制御方法および表示制御プログラムに関する。
【背景技術】
【０００２】
従来から、核家族化や共働きの夫婦の増加に伴い、子供が一人で留守番を行う機会が増えている。宅内には、ガスを使うコンロや暖房機器などのように、子供では操作が難しい電気機器があり、エアコンなどのように、使用し続けると料金が高くなる電気機器などもある。このように、子供が留守番をする場合には、少なからず注意すべきことが存在する。近年では、宅内の電気機器を管理する技術として、家庭内ＬＡＮ（Local  Area  Network）に接続される情報家電や宅内に設置される電気機器を操作する制御装置などが知られている。
【先行技術文献】
【特許文献】
【０００３】
【特許文献１】特開２０１２−１１４６６６号公報
【発明の概要】
【発明が解決しようとする課題】
【０００４】
しかしながら、上記技術では、親が宅内にいないときに、宅内で留守番する子供が親と連絡を取り合うことが難しい状況が発生する。
【０００５】
例えば、子供が携帯電話などを所持している場合もあるが、携帯電話の電池がないときや携帯電話を紛失したときには、子供が親と連絡が取れなくなる。また、携帯電話を操作できない幼児などは、親と連絡をとる手段がない。
【０００６】
一つの側面では、宅内のユーザが宅外の監視者に容易に連絡することができる建物、コントローラ装置、表示制御方法および表示制御プログラムを提供することを目的とする。
【課題を解決するための手段】
【０００７】
第１の案では、建物は、電気機器と、前記電気機器を操作するコントローラ装置とを有する。前記コントローラ装置は、第一の無線通信リンクを用いて端末装置を監視する監視部と、前記監視部に監視される端末装置の連絡先に関する連絡先情報が記憶された記憶部と、前記連絡先情報を基に、第二の無線通信リンクを用いて端末装置と通信する通信部とを有する。前記コントローラ装置は、表示部の第一の領域に、前記電気機器に対する操作を受け付ける操作画面を表示するとともに、前記表示部の第二の領域に、前記端末装置と接続された前記第一の無線通信リンクが切断されたときに前記第二の無線通信リンクによる端末装置への通話操作を受け付ける通話画面を表示する表示制御部を有する。建物は、床部と、前記床部から立ち上がると共に室内空間を囲む壁部であって、該壁部は前記表示部を有する。
【発明の効果】
【０００８】
一実施形態によれば、宅内のユーザが宅外の監視者に容易に連絡することができる。
【図面の簡単な説明】
【０００９】
【図１】図１は、実施例１にかかるスマートスイッチを説明する図である。
【図２】図２は、スマートスイッチの設置箇所の例を説明する図である。
【図３】図３は、実施例１にかかるスマートスイッチのハードウェア構成例を説明する図である。
【図４】図４は、実施例１にかかるスマートスイッチの機能構成を示す機能ブロック図である。
【図５】図５は、監視対象ＤＢに記憶される情報の例を示す図である。
【図６】図６は、連絡先ＤＢに記憶される情報の例を示す図である。
【図７】図７は、スマートスイッチの画面の遷移例を説明する図である。
【図８】図８は、処理の流れを示すシーケンス図である。
【図９】図９は、設定手法の一例を説明する図である。
【発明を実施するための形態】
【００１０】
以下に、本願の開示する建物、コントローラ装置、表示制御方法および表示制御プログラムの実施例を図面に基づいて詳細に説明する。なお、この実施例によりこの発明が限定されるものではない。また、各実施例は、矛盾のない範囲内で適宜組み合わせることができる。
【実施例１】
【００１１】
［全体構成］
図１は、実施例１にかかるスマートスイッチ１０を説明する図である。実施例１にかかるスマートスイッチ１０は、マンションや戸建てなどの自宅１に設置されるコントローラ装置の一例である。
【００１２】
このスマートスイッチ１０は、スマートフォンなどの通信装置と同様の機能を有する。例えば、スマートスイッチ１０は、タッチパネル、カメラ、スピーカ、温度や湿度などの各種センサ、ＳＩＭ（Subscriber  Identity  Module）カードを有する。
【００１３】
さらに、スマートスイッチ１０は、家庭内ＬＡＮ等によって自宅１内の情報家電と接続される。例えば、スマートスイッチ１０は、部屋の照明１ａを制御する制御機能を有する。ここで、スマートスイッチ１０は、自宅内で家族が移動する動線上、特に子供３が家に帰ってからリビング等に行くまでの動線上に設置される。また、図２は、スマートスイッチ１０の設置個所の例を説明する図である。
【００１４】
図２には、家族が生活する一般的な部屋の間取り図が示される。図２に示す矢印の箇所にスマートスイッチ１０が設置される。例えば、スマートスイッチ１０は、子供３が自宅に入ったときにはじめに電気をつける照明スイッチの箇所、留守中の子供３の滞在時間が長いと予想されるリビングの照明スイッチの箇所などに置き換えられるとともに、一般的な小学生が操作できる高さ（位置）に設置される。つまり、スマートスイッチ１０は、玄関、リビング、洗面所、自分の部屋などを移動する子供３の動線上に設置される。
【００１５】
なお、動線上の全照明スイッチと置き換えて、スマートスイッチ１０を設置してもよく、任意に選択した複数の照明スイッチと置き換えてもよく、子供３が帰宅後にはじめに操作する照明スイッチを特定して置き換えてもよい。また、各照明スイッチをスマートスイッチ１０に置き換えるとともに、各スマートスイッチ１０を統合的に管理するスマートスイッチを設置してもよい。その場合、統合管理するスマートスイッチ１０が後述する機能を有し、各照明スイッチに対して同様の処理を実行する。
【００１６】
なお、自宅１は、床部と、床部と対向する天井部と、床部から立ち上がると共に室内空間を囲む壁部とを備える建物である。つまり、床部、天井部、壁部によって、自宅１の内部空間が区画され、室内空間が形成される。床部は、フローリング材等の内装床材で仕上げられる。天井部は、照明１ａが配置される。壁部は、出入り口、窓などが設けられると共に、スマートスイッチ１０が配置される。ここで、壁部の内部には、電気配線用の配線孔が設けられている。そして、スマートスイッチ１０と照明１ａとは、配線孔を通るケーブルにより接続され、スマートスイッチ１０がオンの状態では、系統電源から照明１ａへ電力供給が行われ、照明１ａの点灯状態は「点灯」になる。また、スマートスイッチ１０がオフの状態では、系統電源から照明１ａへ電力供給が行われず、照明１ａの点灯状態は「消灯」になる。
【００１７】
図１に戻り、スマートスイッチ１０は、近距離通信を用いて、監視対象である親２の無線通信端末５０を監視し、監視対象である親２の無線通信端末５０が自宅１に存在する場合は、照明１ａをオン／オフさせるための照明操作画面をタッチパネル上に表示させて、通常の照明スイッチとして機能する。
【００１８】
そして、スマートスイッチ１０は、監視対象である親２の無線通信端末５０が自宅１に存在しなくなると、照明操作画面と親の画像との両方をタッチパネル上に表示させる。例えば、スマートスイッチ１０は、表示部の第１の領域に照明操作画面を表示し、表示部の第２の領域に親の画像を表示する。
【００１９】
その後、スマートスイッチ１０は、親の画像が子供３によって押下されると、ネットワークＮを介して、自宅外にいる親２の無線通信端末５０と接続する。そして、スマートスイッチ１０は、子供３と親２との通話を確立する。
【００２０】
この結果、宅内のユーザが宅外の監視者に容易に連絡することができる。つまり、留守番している子供３は、無線通信端末などの他の電気機器を用いずに、スマートスイッチ１０を介して親２と通話できる。なお、ネットワークＮは、有線や無線を問わず、携帯電話のキャリアが提供するキャリア網やインターネットなどを採用することができる。
【００２１】
［ハードウェア構成］
図３は、実施例１にかかるスマートスイッチ１０のハードウェア構成例を説明する図である。図３に示すように、スマートスイッチ１０は、無線部１１、近距離通信部１２、表示部１３、マイク１４、スピーカ１５、ＨＤＤ（Hard  Disk  Drive）１６、メモリ１７、プロセッサ２０を有する。なお、ここで示したハードウェアは一例であり、例えばカメラや各種センサなど他のハードウェアを有することもできる。
【００２２】
無線部１１は、アンテナ１１ａを用いて無線通信を実行する無線モジュールであり、例えば無線ＬＡＮ（Local  Area  Network）やキャリア網などを用いて他の装置との間で、音声通話などを実行する。近距離通信部１２は、Ｂｌｕｅｔｏｏｔｈ（登録商標）（以下ではＢＬＥなどと記載する場合がある）等の近距離無線モジュールであり、自宅１内の無線通信端末との間で情報の通信を司る通信インタフェースである。
【００２３】
表示部１３は、タッチパネルを有するとともに、各種情報を表示する表示装置の一例である。この表示部１３は、１画面表示および２画面表示の切替を可能とし、画面ごとのタッチパネル制御も可能とする。マイク１４は、音を集音してプロセッサ２０に出力する集音器の一例である。スピーカ１５は、プロセッサ２０から入力された音声を出力する出力器の一例である。
【００２４】
ＨＤＤ１６は、データやプログラムなどを記憶する記憶装置の一例であり、例えばプロセッサ２０が実行する各種プログラムを記憶する。
【００２５】
メモリ１７は、プログラムの展開先となる記憶装置の一例である。メモリ１７の一例としては、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。
【００２６】
プロセッサ２０は、スマートスイッチ１０全体を司る処理部であり、例えばＣＰＵ（Central  Processing  Unit）などである。プロセッサ２０は、ハードディスク等に記憶されるプログラムを読み出してメモリ１７に展開して実行することで、後述する各機能部を実行する。なお、プロセッサ２０の一例としては、ＣＰＵ（Central  Processing  Unit）、ＤＳＰ（Digital  Signal  Processor）、ＦＰＧＡ（Field  Programmable  Gate  Array）、ＰＬＤ（Programmable  Logic  Device）等が挙げられる。
【００２７】
［機能構成］
図４は、実施例１にかかるスマートスイッチ１０の機能構成を示す機能ブロック図である。図４に示すように、スマートスイッチ１０は、監視対象ＤＢ２１、連絡先ＤＢ２２、スイッチ制御部２３、監視部２４、表示制御部２５、操作検出部２６、発信処理部２７、結果通知部２８を有する。
【００２８】
なお、監視対象ＤＢ２１、連絡先ＤＢ２２は、ＨＤＤ１６などに記憶されるデータベースである。スイッチ制御部２３、監視部２４、表示制御部２５、操作検出部２６、発信処理部２７、結果通知部２８は、プロセッサ２０が有する電子回路の一例やプロセッサ２０が実行するプロセスの一例である。
【００２９】
監視対象ＤＢ２１は、自宅１内で存在有無を監視する監視対象の無線通信端末に関する情報を記憶する。図５は、監視対象ＤＢ２１に記憶される情報の例を示す図である。図５に示すように、監視対象ＤＢ２１は、「ユーザ名、ＩＤ」を対応付けて記憶する。ここで記憶される「ユーザ名」は、監視対象のユーザ名を示す情報である。「ＩＤ」は、後述する監視部２４に使用される、近距離通信で使用される識別子などである。
【００３０】
図５の例では、監視対象として、ＩＤが「ＭＭＭＭ」の「ママ」とＩＤが「ＦＦＦＦ」の「パパ」とが設定されていることを示す。なお、ＩＤは、使用する近距離通信の種別等によって、任意に設定変更することができる。また、ここで記憶される情報は、親２などのユーザによって任意に変更することができる。
【００３１】
連絡先ＤＢ２２は、各無線通信端末の発信先に関する情報を記憶する。図６は、連絡先ＤＢ２２に記憶される情報の例を示す図である。図６に示すように、連絡先ＤＢ２２は、「優先順位、グループ名、ユーザ名、電話番号、アドレス」を対応付けて記憶する。ここで記憶される「優先順位」は、発信の優先順位を示し、「グループ名」は、ユーザグループを示す。「ユーザ名」は、発信先のユーザの名称であり、「電話番号」は、発信先の電話番号であり、「アドレス」は、メールアドレスなどである。なお、連絡先ＤＢ２２は、これら以外にも、表示に使用される画像などを対応付けて記憶する。
【００３２】
図６の場合、優先順位１は、電話番号「ＴＥＬ（Ａ）」とメールアドレス「Ａｄｄｒ（Ａ）」が設定される、家族のママであり、優先順位４は、電話番号「ＴＥＬ（Ｄ）」とメールアドレス「Ａｄｄｒ（Ｄ）」が設定される、ママ友である花子ちゃんママであることを示す。また、優先順位の最後には、サービサーの電話番号およびアドレスが設定される。なお、サービサーとは、予め契約した第三者機関であり、必ず電話に応答することが約束されている。
【００３３】
スイッチ制御部２３は、対応する照明１ａのオンやオフを実行する処理部である。具体的には、スイッチ制御部２３は、表示部１３が有する表示領域のうち、照明操作に該当する押下を検出した場合に、照明１ａのオンやオフを実行する。
【００３４】
監視部２４は、近距離通信を用いて、自宅１内で無線通信装置の存在を監視する処理部である。具体的には、監視部２４は、一定の間隔で、監視対象ＤＢ２１に記憶される各ＩＤに対してＢＬＥを用いた信号を送信し、応答があるか否かを監視する。つまり、監視部２４は、自宅１内で子供３が留守番している留守番状態か否かを監視する。
【００３５】
例えば、監視部２４は、監視対象ＤＢ２１に記憶されるＩＤ「ＭＭＭＭ」とＩＤ「ＦＦＦＦ」とのそれぞれに信号を送信し、いずれのＩＤからも応答が届かない時間が所定時間（例えば、５分など）継続した場合に、留守番状態と判定して、表示制御部２５に通知する。なお、監視部２４は、強制的に留守番モードに変更するなどの予め指定した操作を受け付けた場合にも、留守番状態と判定することができる。
【００３６】
また、監視部２４は、留守番状態後も、監視対象ＤＢ２１に記憶されるＩＤ「ＭＭＭＭ」とＩＤ「ＦＦＦＦ」とのそれぞれに信号を定期的に送信し、いずれかのＩＤから応答を受信した場合に、通常状態と判定して、表示制御部２５に通知する。なお、監視部２４は、強制的に通常モードに変更するなどの予め指定した操作を受け付けた場合にも、通常状態と判定することができる。
【００３７】
表示制御部２５は、スマートスイッチ１０の表示部１３の表示領域や表示情報を動的に変更する処理部である。具体的には、表示制御部２５は、監視部２４から留守番状態の通知を受信するまでは、表示部１３の表示領域を１つに設定して、照明スイッチの操作ボタン（照明操作画面）を表示する。
【００３８】
そして、表示制御部２５は、監視部２４から留守番状態の通知を受信すると、表示部１３の表示領域を２つに分割し、第１の領域に照明操作画面を、第２の領域に連絡先ＤＢ２２の優先順位１に対応する画像を、表示部１３にあわせて表示する。図６の例では、表示制御部２５は、第２の領域にママの画像を表示する。このようにして、表示制御部２５は、留守番状態になると、スマートスイッチ１０の操作対象を照明１ａと発信の２つに変更する。
【００３９】
また、表示制御部２５は、監視部２４から通常状態の通知を受信すると、表示部１３の表示領域を１つに設定して、照明操作画面のみを表示する。このようにして、表示制御部２５は、通常状態になると、スマートスイッチ１０の操作対象を照明１ａの１つに変更する。
【００４０】
操作検出部２６は、発信操作を検出する処理部である。具体的には、操作検出部２６は、留守番中の子供による発信操作を検出する。例えば、操作検出部２６は、表示部１３の第２の領域に表示されるママの画像が押下された場合に、発信操作を検出して、発信処理部２７に通知する。
【００４１】
発信処理部２７は、キャリアの回線やＬＴＥ（Long  Term  Evolution）などの通信方式を用いて、無線通信装置に対して、音声通話を要求する発信処理を実行する処理部である。具体的には、発信処理部２７は、操作検出部２６によって発信操作が検出された場合、連絡先ＤＢ２２に記憶される優先順位にしたがって、誰かが応答するまで順に発信する。
【００４２】
例えば、発信処理部２７は、操作検出部２６によって発信操作が検出されると、優先順位１のママ（ＴＥＬ（Ａ））に発信する。そして、発信処理部２７は、ママが応答しない場合、優先順位２のパパの画像を表示部１３の第２の領域に表示させるとともに、パパ（ＴＥＬ（Ｂ））に発信する。続いて、発信処理部２７は、パパが応答しない場合、優先順位３のおじいちゃんの画像を表示部１３の第２の領域に表示させるとともに、おじいちゃん（ＴＥＬ（Ｃ））に発信する。
【００４３】
さらに、発信処理部２７は、おじいちゃんが応答しない場合、優先順位４の花子ちゃんママの画像を表示部１３の第２の領域に表示させるとともに、花子ちゃんママ（ＴＥＬ（Ｄ））に発信する。続いて、発信処理部２７は、花子ちゃんママが応答しない場合、優先順位５の特許くんママの画像を表示部１３の第２の領域に表示させるとともに、特許くんママ（ＴＥＬ（Ｅ））に発信する。そして、発信処理部２７は、特許くんママが応答しない場合、優先順位６のサービサーの画像を表示部１３の第２の領域に表示させるとともに、サービサー（ＴＥＬ（Ｆ））に発信する。
【００４４】
ここで、発信処理部２７は、音声通話が確立された場合は、それ以降のユーザについての発信処理を抑制する。例えば、発信処理部２７は、おじいちゃん（ＴＥＬ（Ｃ））へ発信したときに応答があった場合は、おじいちゃん（ＴＥＬ（Ｃ））と音声通話を確立し、おじいちゃんより後（優先順位４以降）については発信を行わない。そして、発信処理部２７は、通話が確立した電話番号（ＴＥＬ（Ｃ））を結果通知部２８に通知する。
【００４５】
なお、発信処理部２７は、折り返しの着信があった場合も、未発信のユーザについての発信処理を抑制する。例えば、発信処理部２７は、パパ（ＴＥＬ（Ｂ））からの応答がなく、次のおじいちゃん（ＴＥＬ（Ｃ））へ発信するタイミングで、発信済みのママから折り返しの着信があった場合は、ママ（ＴＥＬ（Ａ））と音声通話を確立する。そして、発信処理部２７は、未発信であるおじいちゃん以降（優先順位３以降）については発信を行わない。このときは、発信処理部２７は、発信済みかつ未応答であるパパの電話番号（ＴＥＬ（Ｂ））を結果通知部２８に通知する。
【００４６】
結果通知部２８は、子供３と通話ができたことを示すメールを該当者に送信する処理部である。具体的には、結果通知部２８は、発信処理部２７が発信した宛先かつ未応答であった宛先に対して、メールを送信する。
【００４７】
例えば、結果通知部２８は、通話が確立した電話番号（ＴＥＬ（Ｃ））が発信処理部２７から通知されると、ＴＥＬ（Ｃ）の優先順位３を連絡先ＤＢ２２から特定する。続いて、結果通知部２８は、優先順位３より前の優先順位１のアドレス（Ａｄｄｒ（Ａ））と優先順２のアドレス（Ａｄｄｒ（Ｂ））とを特定し、これらのアドレスに対してメールを送信する。
【００４８】
また、結果通知部２８は、発信済みかつ未応答であるパパの電話番号（ＴＥＬ（Ｂ））が発信処理部２７から通知されると、ＴＥＬ（Ｂ）に対応するアドレス（Ａｄｄｒ（Ｂ））を連絡先ＤＢ２２から特定する。続いて、結果通知部２８は、特定したアドレス（Ａｄｄｒ（Ｂ））に対してメールを送信する。
【００４９】
なお、メールの内容は、例えば「〇〇くんはおじいちゃんと通話中です」のように、通話が確立されたことを示すなど、任意に設定することができる。
【００５０】
［画面遷移例］
次に、スマートスイッチ１０の画面遷移について説明する。図７は、スマートスイッチ１０の画面の遷移例を説明する図である。図７の（ａ）に示すように、スマートスイッチ１０は、監視対象の無線通信装置が自宅１内に存在するときは、照明操作画面のみを表示する。
【００５１】
そして、スマートスイッチ１０は、監視対象の無線通信装置が検出できなくなった場合に、表示部１３の表示領域を２つに分割し、第１の領域に照明操作画面を表示し、第２の領域に優先順位１のママの画像を表示する（図７の（ｂ））。
【００５２】
その後、スマートスイッチ１０は、第２の領域に表示されるママの画像が押下されると、ママへの発信を行い、第２の領域に呼出中のメッセージを表示する（図７の（ｃ））。ここで、スマートスイッチ１０は、ママが応答すると、音声通話を確立し、第２の領域に通話中のメッセージを表示する（図７の（ｄ））。
【００５３】
一方、スマートスイッチ１０は、ママが電話に出ない時は、優先順位２のパパへの発信を行う（図７の（ｅ））。このとき、スマートスイッチ１０は、第２の領域に優先順位２のパパの画像を表示するとともに、呼出中のメッセージを表示する。
【００５４】
ここで、スマートスイッチ１０は、パパが応答すると、音声通話を確立し、第２の領域に通話中のメッセージを表示する（図７の（ｆ））。一方、スマートスイッチ１０は、パパが電話にでないときは、パパ以降の優先順位にしたがって、おじいちゃん、花子ちゃんママ、特許くんママの順に、発信処理を実行する。
【００５５】
そして、スマートスイッチ１０は、誰とも電話がつながらない場合は、優先順位の最後であるサービサーと音声通話を確立する（図７の（ｇ））。このとき、スマートスイッチ１０は、第２の領域にサービサーを表示するとともに、通話中のメッセージを表示する。
【００５６】
［処理の流れ］
図８は、処理の流れを示すシーケンス図である。上述したように、スマートスイッチ１０は、照明機能と監視機能とを並行に実行する。
【００５７】
図８に示すように、スマートスイッチ１０のスイッチ制御部２３は、表示部１３上でオンまたはオフ操作を受け付けて、照明器具に対して、照明１ａのオンとオフを制御する（Ｓ１０１）。
【００５８】
この照明機能と並行して、スマートスイッチ１０の監視部２４は、監視対象のママの無線通信装置（以降では、ママ端末と記載する場合がある）、パパの無線通信装置（以降では、パパ端末と記載する場合がある）とを監視する（Ｓ１０２からＳ１０４）。
【００５９】
その後、監視部２４は、ママ端末からの応答が一定時間受信できないことから、ママ端末との通信断を検出するが、パパ端末とは引き続き通信ができることを検出する（Ｓ１０５からＳ１０７）。ここでは、パパ端末との通信ができることから、留守番状態ではないと判定される。
【００６０】
さらにその後、監視部２４は、ママ端末からの応答が一定時間受信できない状態が続き、パパ端末からの応答も一定時間受信できないことから、パパ端末との通信断を検出する（Ｓ１０８からＳ１１０）。
【００６１】
すると、表示制御部２５は、スマートスイッチ１０の表示部１３の表示を変更する（Ｓ１１１）。具体的には、表示制御部２５は、表示領域を２つに分け、第１の領域には照明操作画面を引き続き表示し、第２の領域には優先順位１のママの画像を表示する。
【００６２】
そして、操作検出部２６が通話ボタンの押下を検出すると（Ｓ１１２）、発信処理部２７は、ママ端末に発信する（Ｓ１１３とＳ１１４）。具体的には、操作検出部２６が、ママの画像が押下されたことを検出すると、発信処理部２７は、ママ端末に発信するとともに、第２の領域に呼出中のメッセージを表示する。
【００６３】
その後、発信処理部２７は、ママ端末から応答が検出できない場合（Ｓ１１５）、優先順位２のパパ端末に発信する（Ｓ１１６とＳ１１７）。具体的には、ママ端末への発信を終了し、パパ端末への発信を実行するとともに、第２の領域に、パパの画像および呼出中のメッセージを表示する。
【００６４】
その後、発信処理部２７は、パパ端末からも応答が検出できない場合（Ｓ１１８）、優先順位３の他端末に発信する（Ｓ１１９とＳ１２０）。具体的には、パパ端末への発信を終了し、次の優先順位の端末への発信を実行するとともに、第２の領域に、発信先のユーザの画像および呼出中のメッセージを表示する。
【００６５】
そして、発信処理部２７は、発信先の他端末からの応答を検出すると（Ｓ１２１とＳ１２２）、他端末との間で音声通話を接続する（Ｓ１２３）。このとき、発信処理部２７は、第２の領域に、発信先のユーザの画像および通話中のメッセージを表示する。
【００６６】
その後、結果通知部２８は、発信しても応答がなかったママ端末とパパ端末に、子供３と連絡が取れたことが記載されたメールを送信する（Ｓ１２４からＳ１２６）。
【００６７】
［効果］
上述したように、スマートスイッチ１０を既存の照明スイッチに置き換えることができるので、新たな電気機器を増やさずに、留守番中の子供と通話することができる。この結果、導入コストの削減も実現できる。また、スマートスイッチ１０が宅内に設置されることから、スマートスイッチ１０は無線ＬＡＮを用いて発信処理を行うことができるので、通話アプリなどを用いる場合には通話料を気にせずに、子供と通話することができる。
【００６８】
また、携帯電話を持っていない子供や携帯電話を操作できない場合であっても、簡単な操作で親と通話ができる。また、自宅内の動線上にスマートスイッチ１０を設置するので、子供が簡単にスマートスイッチ１０を見つけることができ、緊急時でも素早く親に連絡することができる。また、通話先の最後にサービサーを含めることで、絶対に誰かに通話できるという安心感を子供および親の両方に与えることができ、システム導入のハードルも下げることができる。
【実施例２】
【００６９】
さて、これまで本発明の実施例について説明したが、本発明は上述した実施例以外にも、種々の異なる形態にて実施されてよいものである。そこで、以下に異なる実施例を説明する。
【００７０】
［通信方式］
上記実施例では、第１の無線通信リンクの例としてＢＬＥ、第２の無線通信リンクとしてＬＴＥを例にして説明したが、これに限定されるものではない。例えば、無線ＬＡＮなどを用いて監視および発信を行うこともできる。また、通常の電話機能ではなく、電話機能を実現するアプリケーションなどを用いて発信処理を行うこともできる。
【００７１】
［着信処理］
上記実施例では、スマートスイッチ１０が発信する例で説明したが、スマートスイッチ１０は着信処理を実行することもできる。例えば、スマートスイッチ１０は、ママ端末から着信したときは、ママの画像を表示部１３の第２の領域に表示させる。なお、スマートスイッチ１０は、連絡先ＤＢ２２に記憶される電話番号に限って着信を認めるなどの制限を設定することもできる。
【００７２】
［スマートスイッチの筐体］
上記実施例では、スマートスイッチ１０が表示部１３を有する例を説明したが、これに限定されるものではない。例えば、表示部１３と上記処理を実行するコントロール部とを別々の筐体で実現することもできる。なお、設置場所も自宅に限らず、学校、会社、病院、データセンタなどにも適用することができる。また、実施例では、照明１ａを操作する画面を表示する例を説明したが、操作対象は照明１ａに限られず、テレビやエアコンなど他の電気機器であってもよい。
【００７３】
［監視モード］
上記実施例では、子供が留守番状態のときを例にして説明したが、これに限定されるものではない。具体的には、スマートスイッチ１０に監視モードを設定し、監視モードを実行中の間は、ママ端末などの監視対象の端末からの要求に応じて、付近の画像を送信することもできる。例えば、スマートスイッチ１０は、監視モード時にママ端末から要求を受信した場合、スマートスイッチ１０付近の画像を撮像してママ端末に送信することができる。また、スマートスイッチ１０は、画像ではなく、動画を送信することもでき、テレビ電話で接続することもできる。
【００７４】
なお、スマートスイッチ１０が複数ある場合は、各スマートスイッチ１０にＩＤなどを付加して識別する。この結果、ママ端末は、確認したい場所に設置されるスマートスイッチに対して上記要求を送信することで、ある一か所の状態を確認することができる。
【００７５】
［設定手法］
次に、スマートスイッチ１０に連絡先等を設定する手法の一例を説明する。図９は、設定手法の一例を説明する図である。図９に示すように、スマートスイッチ１０は、通常状態に表示する通常画面において、設定変更ボタン１０ａの選択を受け付けると、設定メニューを表示する。
【００７６】
続いて、スマートスイッチ１０は、設定メニューにおいてサービス設定ボタン１０ｂが選択されると、連絡先一覧画面を表示する。スマートスイッチ１０は、この連絡先一覧の画面上で、連絡先ＤＢ２２に登録する各情報の入力を受け付ける。その後、スマートスイッチ１０は、設定が完了すると、設定完了画面を表示した後、通常画面を表示する。
【００７７】
［システム］
前記文書中や図面中で示した処理手順、制御手順、具体的名称、各種のデータやパラメータを含む情報については、特記する場合を除いて任意に変更することができる。
【００７８】
また、図示した各装置の各構成要素は機能概念的なものであり、必ずしも物理的に図示の如く構成されていることを要しない。すなわち、各装置の分散・統合の具体的形態は図示のものに限られない。つまり、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００７９】
［プログラム］
また、スマートスイッチ１０は、プログラムを読み出して実行することで表示制御方法を実行する情報処理装置として動作する。つまり、スマートスイッチ１０は、スイッチ制御部２３、監視部２４、表示制御部２５、操作検出部２６、発信処理部２７、結果通知部２８と同様の機能を実行するプログラムを実行する。この結果、スマートスイッチ１０は、スイッチ制御部２３、監視部２４、表示制御部２５、操作検出部２６、発信処理部２７、結果通知部２８と同様の機能を実行するプロセスを実行することができる。なお、この他の実施例でいうプログラムは、スマートスイッチ１０によって実行されることに限定されるものではない。例えば、他のコンピュータまたはサーバがプログラムを実行する場合や、これらが協働してプログラムを実行するような場合にも、本発明を同様に適用することができる。
【００８０】
このプログラムは、インターネットなどのネットワークを介して配布することができる。また、このプログラムは、ハードディスク、フレキシブルディスク（ＦＤ）、ＣＤ−ＲＯＭ、ＭＯ（Magneto−Optical  disk）、ＤＶＤ（Digital  Versatile  Disc）などのコンピュータで読み取り可能な記録媒体に記録され、コンピュータによって記録媒体から読み出されることによって実行することができる。
【符号の説明】
【００８１】
１０  スマートスイッチ
２１  監視対象ＤＢ
２２  連絡先ＤＢ
２３  スイッチ制御部
２４  監視部
２５  表示制御部
２６  操作検出部
２７  発信処理部
２８  結果通知部
【図１】
2018125676.tif 000003
【図２】
2018125676.tif 000004
【図３】
2018125676.tif 000005
【図４】
2018125676.tif 000006
【図５】
2018125676.tif 000007
【図６】
2018125676.tif 000008
【図７】
2018125676.tif 000009
【図８】
2018125676.tif 000010
【図９】
2018125676.tif 000011